(57)【要約】      （修正有）【課題】釣り具の振動の周波数及び振幅の時間変化を容易に把握できる釣り具振動表示装置の提供。【解決手段】釣り竿振動表示装置２０は、釣り竿の振動を表示する装置である。釣り竿振動表示装置２０は、第２無線通信部２６と、図形情報生成部２２ａと、表示器２８とを備える。第２無線通信部２６は、振動を検出する振動センサ１４からの振動信号を受信する。図形情報生成部２２ａは、第２無線通信部２６が振動信号を受信すると、受信した振動信号の振幅及び周波数を含む図形情報を生成し、表示器には、図形情報を表示する。【選択図】図２
2017029051.tif 000002
【特許請求の範囲】
【請求項１】
釣り具の振動を表示する釣り具振動表示装置であって、
前記振動を検出する振動センサからの振動信号を受信する受信部と、
前記受信部が前記振動信号を受信する度に、受信した前記振動信号の振幅及び周波数を含む図形情報を生成する図形情報生成部と、
前記図形情報を表示する表示器と、
備える釣り具振動表示装置。
【請求項２】
前記図形情報は、前記振動信号の波形である、請求項１に記載の釣り具振動表示装置。
【請求項３】
前記図形情報を記憶する図形情報記憶部をさらに備える、請求項２に記載の釣り具振動表示装置。
【請求項４】
前記図形情報は、前記図形情報記憶部に魚種毎に記憶される、請求項３に記載の釣り具振動表示装置。
【請求項５】
前記釣り具は、釣り竿および釣り糸のいずれかである、請求項１から４のいずれか１項に記載の釣り具振動表示装置。
【発明の詳細な説明】
【技術分野】
【０００１】
本発明は、振動表示装置、特に、釣り具の振動を表示する釣り具振動表示装置に関する。
【背景技術】
【０００２】
釣り具である釣り竿内に設けられたマイクで振動を電気信号に変換し、釣り人がイヤホンで振動を魚信として聴音できるシステムが知られている（例えば、特許文献１参照）。特許文献１の聴音システムでは、マイクで検出した振動を受信器に無線で送信し、受信器に設けられたイヤホンによって魚信を音で把握できる。特許文献１の聴音システムでは、釣り場の環境音（例えば、釣り船のエンジンの音又は風切り音）に妨げられて、魚信を把握できないおそれがある。
【０００３】
また、釣り竿の振動及び振動に応じた魚種を釣り竿に装着された表示器に表示させる釣り具振動表示装置も知られている（例えば、特許文献２参照）。特許文献２の釣り具振動表示装置は、釣り竿の振動を検出する振動センサと、振動数及び魚種を表示器に数値で表示する表示器とを有する。特許文献２の釣り具振動表示装置では、魚種固有の振動数に応じて、魚種を表示する。特許文献２の釣り具振動表示装置では、魚信を音ではなく振動数の表示によって把握する。このため、釣り場の環境音に妨げられることなく、魚信を把握できる。
【先行技術文献】
【特許文献】
【０００４】
【特許文献１】特開２０１４−０４５７２２号公報
【特許文献２】特開平４−３２０６３９号公報
【発明の概要】
【発明が解決しようとする課題】
【０００５】
特許文献２の表示装置では、釣り具の振動の周波数が数値で表示されるので、釣り具の現在の振動の周波を数値でしか把握できない。このため、特許文献２の表示装置では、振動の周波数及び振幅の時間変化を把握できない。この結果、特許文献２の表示装置では、最善のタイミングで合わせ動作を行うことが難しい。
【０００６】
本発明の課題は、釣り具の振動の周波数及び振幅の時間変化を容易に把握できるようにすることにある。
【課題を解決するための手段】
【０００７】
本発明に係る釣り具振動表示装置は、釣り具の振動を表示する装置である。釣り具振動表示装置は、受信部と、図形情報生成部と、表示器とを備える。受信部は、振動を検出する振動センサからの振動信号を受信する。図形情報生成部は、受信部が振動信号を受信する度に、受信した振動信号の振幅及び周波数を含む図形情報を生成する。表示器は、図形情報を表示する。
【０００８】
この釣り具振動表示装置では、振動を数値ではなく受信した振動信号の振幅及び周波数を含む図形情報で表示する。また、図形情報は、振動信号を受信する度に生成される。ここでは、振動信号の振幅及び周波数の時間変化を図形で表示するので、釣り具の振動の周波数及び振幅の時間変化を容易に把握できる。
【０００９】
図形情報は、振動信号の波形であってもよい。この構成によれば、振動の周波数及び振幅の時間変化を波形によってさらに容易に把握できるようになる。
【００１０】
釣り具振動表示装置は、図形情報を記憶する図形情報記憶部をさらに備えてもよい。この構成によれば、例えば、図形情報を魚種毎に記憶することによって、魚種によって異なる合わせのタイミングに対応できる。
【００１１】
図形情報は、図形情報記憶部に魚種毎に記憶されてもよい。この構成によれば、魚種毎に記憶された図形情報を読み出して、現在の図形情報と比較することによって、現在の魚種を判断でき、魚種に応じた合わせ動作を行いやすくなる。
【００１２】
釣り具は、釣り竿および釣り糸のいずれかであってもよい。この構成によれば、獲物がかかったときに最も敏感に振動する釣り具の振動を検出できる。
【発明の効果】
【００１３】
本発明によれば、振動の周波数及び振幅の時間変化を容易に把握できるようになる。
【図面の簡単な説明】
【００１４】
【図１】本発明の第１実施形態による釣り竿振動表示装置を用いた釣り情報表示システムの構成図。
【図２】第１実施形態による釣り竿振動表示装置を含む釣り情報表示システムの構成を示すブロック図。
【図３】第１実施形態の釣り竿振動表示装置の制御動作の一例を示すフローチャート。
【図４】第１実施形態の釣り竿振動表示装置の表示画面の一例を示す図。
【図５】本発明の第２実施形態による釣り竿情報表示装置を含むシステム構成を示すブロック図。
【図６】第２実施形態の釣り竿振動表示装置の表示画面の一例を示す図。
【図７】第２実施形態の釣り竿振動表示装置を異なる釣り竿に用いた他の実施形態を示す図１に相当する図。
【発明を実施するための形態】
【００１５】
＜第１実施形態＞
図１において、本発明の第１実施形態を採用した釣り情報表示システム６は、釣り竿８の内部に収容された釣り竿振動検出部１０と、釣り竿振動表示装置２０と、釣り糸Ｌを巻き取り可能な釣り用リール３２と、を備える。釣り竿８は釣り具の一例であり、釣り竿振動表示装置２０は、釣り具振動表示装置の一例である。第１実施形態では、釣り竿振動表示装置２０は、釣り竿８の振動に加えて、釣り用リール３２の仕掛けの水深及び魚群探知機４４の画像等の釣り情報を表示可能な専用の通信端末である。釣り竿振動表示装置２０は、釣り竿振動検出部１０、釣り用リール３２、及び魚群探知機４４と、IEEE 802.11、IEEE 802.15等の近距離無線通信規格によって通信可能である。本実施形態では、釣り竿振動表示装置２０は、IEEE 802.11に準拠したＷｉ−Ｆｉ（登録商標）規格で振動信号を含む信号を送受信する。
【００１６】
図２に示すように、釣り竿振動検出部１０は、釣り竿８の竿尻８ａに電源とともに収容される。釣り竿振動検出部１０は、マイクロコンピュータによって構成される第１制御部１２と、振動センサ１４と、第１無線通信部１６と、を有する。第１制御部１２は、振動センサ１４から出された振動信号をデジタルの振動信号に変換して第１無線通信部１６に出力する。振動センサ１４は、加速度センサを含み、釣り竿８の加速度の変化によって振動を検出し、振動信号を出力する。第１無線通信部１６は、前述した近距離無線通信規格によって、後述する第２無線通信部２６と、通信する。
【００１７】
釣り竿振動表示装置２０は、マイクロコンピュータによって構成される第２制御部２２と、表示操作部２４と、第２無線通信部２６と、表示器２８と、記憶部３０と、を備える。記憶部３０は図形情報記憶部の一例である。釣り竿振動表示装置２０は、釣り情報を表示するための専用の通信端末である。第２制御部２２は、表示操作部２４の操作に応じて、表示器２８、記憶部３０、及び第２無線通信部２６を制御する。第２制御部２２は、ソフトウェアによって実現される機能構成として、振動信号から図形情報を生成する図形情報生成部２２ａを有する。図形情報生成部２２ａは、第２無線通信部２６が第１無線通信部１６から振動信号を受信する度に、図形情報を生成する。本実施形態では、図形情報生成部２２ａは、振動信号から、図形情報として、振動の周波数及び振幅を含む波形を生成する。第２制御部２２は、生成された波形の時間変化を表示器２８に表示する。表示操作部２４は、電源のオンオフ、メニューの表示及び選択と、表示の切り替えのためと、に設けられる複数（例えば４つ）のボタンスイッチ２４ａ（図４参照）を有する。第２無線通信部２６は、受信部の一例である。第２無線通信部２６は、前述した近距離無線通信規格によって、第１無線通信部１６、後述する第３無線通信部３８、及び魚群探知機４４と無線通信する。表示器２８は、例えば、ドットマトリックス型の液晶ディスプレイである。記憶部３０は、例えばフラッシュメモリによって構成され、生成された波形と比較するための基準波形が魚種毎に格納される。また生成された波形を、表示操作部２４の操作によって魚種毎に格納できる。
【００１８】
釣り用リール３２は、例えば、仕掛けの水深を表示するカウンタを有する両軸受リールリールである。釣り用リール３２は、マイクロコンピュータによって構成される第３制御部３４と、リール操作部３６と、スプールセンサ４０と、第３無線通信部３８と、水深表示器４２と、を備える。第３制御部３４は、釣り糸Ｌの先端に設けられた仕掛けの水深を得るための糸長算出部３４ａを有する。糸長算出部３４ａは、ソフトウェアによって実現される機能構成である。糸長算出部３４ａは、スプールセンサ４０によって検出された、スプールが所定位置（例えば、釣り糸Ｌの巻付開始位置）から何回転したかの回転数によって、釣り糸Ｌの糸長を算出する。算出された糸長は、釣り竿振動表示装置２０のに出力される。これによって、仕掛けの水深Ｔ（図４参照）が釣り竿振動表示装置２０の表示器２８に表示される。第３無線通信部３８は、前述した近距離無線通信規格によって、第２無線通信部２６と無線通信する。スプールセンサ４０は、前述したスプールの回転数に加えて、スプールの回転速度及び回転方向の検出にも用いられる。
【００１９】
次に、第２制御部２２の制御動作の一例を、図３に示すフローチャートに基づいて説明する。図３のステップＳ１では、第２制御部２２は、第１無線通信部１６から発信される振動信号を受信したか否かを判断する。振動信号を受信していないと判断すると、第２制御部２２はステップＳ１からステップＳ２に処理を進める。ステップＳ２では、第２制御部２２は、第３無線通信部３８から発信される糸長情報を受信したか否かを判断する。糸長情報を受信していないと判断すると、第２制御部２２はステップＳ２からステップＳ３に処理を進める。ステップＳ３では、第２制御部２２は、魚群探知機４４から送信される魚探情報を受信したか否かを判断する。魚探情報を受信していないと判断すると、第２制御部２２はステップＳ３からステップＳ１に処理を進める。
【００２０】
振動信号を受信したと判断すると、第２制御部２２は、ステップＳ１からステップＳ４に処理を進める。ステップＳ４では、第２制御部２２は、振動信号から振動の波形を生成して、ステップＳ５に処理を進める。波形は図形情報の一例である。ステップＳ５では、第２制御部２２は、生成された波形を、記憶部３０に記憶された基準波形と比較して魚種を判断し、ステップＳ６に処理を進める。ステップＳ６では、第２制御部２２は、表示器２８の波形表示及び魚種表示を更新し、ステップＳ２に処理を進める。なお、第２制御部２２は、所定時間前から直近までに検出された振動信号に基づく波形を表示器２８に表示する。
【００２１】
糸長情報を受信したと判断すると、第２制御部２２は、ステップＳ２からステップＳ７に処理を進める。ステップＳ７では、第２制御部２２は、糸長情報から仕掛けの水深を求め、仕掛けの水深表示を更新して、ステップＳ３に処理を進める。
【００２２】
魚探情報を受信したと判断すると、第２制御部２２は、ステップＳ３からステップＳ８に処理を進める。ステップＳ８では、第２制御部２２は、魚探情報から得られる釣り場の海底の水深、及び獲物が群れている場所である棚の水深を更新し、ステップＳ１に処理を進める。
【００２３】
上記の動作での表示器２８の表示画面の状態を図４に示す。図４では、例えば、表示器２８の表示画面の上部に、振動信号に基づいて生成された振幅及び周波数の時間変化を表す波形Ｗと、周波数の数値Ｎと、魚種Ｆと、が表示される。また、表示器２８の表示画面の下部には、棚の水深Ｇ及び海底の状態Ｓを含む魚探情報及び仕掛けの水深Ｔが図形で表示される。
【００２４】
＜第２実施形態＞
図５に示すように、第２実施形態に係る釣り竿振動表示装置１２０は、スマートフォン等の汎用通信端末によって構成され、専用のアプリによって動作する。釣り竿振動表示装置１２０は、マイクロコンピュータによって構成される第２制御部１２２と、表示操作部１２４と、第２無線通信部２６と、表示器１２８と、記憶部１３０と、を備える。表示操作部１２４は、タッチパネルによって構成される。第２制御部１２２は、表示操作部１２４の操作に応じて、表示器１２８、記憶部１３０、及び第２無線通信部１２６を制御する。第２制御部１２２は、ソフトウェアによって実現される機能構成として、振動信号から図形情報を生成する図形情報生成部１２２ａを有する。その他の構成では、釣り竿振動表示装置１２０は、釣り用リール３２と通信しない点が第１実施形態と異なる。したがって、第２制御部１２２の制御動作は、図３のステップＳ２及びステップＳ７の処理が行われない。また表示器１２８には、図６に示すように、釣り竿８の振動の波形と、魚群探知機４４からの棚の水深Ｇ及び海底の状態Ｓを含む魚探情報が表示される。なお、釣り竿振動表示装置１２０が釣り用リールと通信するように構成してもよい。
【００２５】
第２実施形態では、釣り竿振動表示装置１２０として汎用通信端末を用いる。このため、ソフトウェア（アプリ）を釣り竿振動表示装置１２０にインストールすることによって、釣り竿８の振動の振幅及び周波数の時間変化を容易に把握できるようになる。
【００２６】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００２７】
（ａ）上記実施形態では、釣り竿振動表示装置２０（又は１２０）として、釣り情報を表示可能な専用の通信端末及び携帯通信端末であるスマートフォンを例示したが、釣り振動表示装置は、これらに限定されない。例えば、ノート型のパーソナルコンピュータ、タブレット、及びウェアラブル通信端末などの、表示器を有し、近距離無線通信規格によって接続可能な通信端末であればどのようなものであってもよい。
【００２８】
（ｂ）上記実施形態では、釣り竿８の振動を検出したが、釣り糸Ｌの振動を検出してもよい。この場合、図１に示すように、釣り竿８の穂先に設けられ、釣り糸Ｌが通る穂先ガイド８ｂに振動センサを設けてもよい。
【００２９】
（ｃ）上記第１実施形態及び第２実施形態では、魚群探知機４４と通信可能な釣り竿振動表示装置２０（又は１２０）を例に説明したが、本発明はこれに限定されない。図７には、穂先に釣り糸Ｌを結ぶ渓流釣りやへら鮒釣りなどに使用される釣り竿２０８の竿尻２０８ａに釣り竿振動検出部１０が収容される。この場合には、釣り竿振動表示装置１２０に、振動の波形及び周波数を表示してもよい。
【００３０】
（ｄ）上記実施形態では、釣り竿８及び釣り用リール３２と別に釣り竿振動表示装置２０（又は１２０）を設けたが、本発明はこれに限定されない。釣り竿振動表示装置を釣り竿８又は釣り用リール３２に取り付けてもよい。釣り用リールに水深表示器４２を取り付ける場合、水深表示器４２を釣り竿振動表示装置として用い、水深表示器４２に図形情報を表示してもよい。
【００３１】
（ｅ）上記実施形態では、近距離無線通信規格として、IEEE 802.11、IEEE 802.15を例示したが、本発明はこれに限定されず、全ての近距離無線通信規格を適用できる。また、釣り竿振動表示装置に複数の近距離無線通信規格で動作可能な第２無線通信部を設けてもよい。この場合、釣り振動検出部と釣り用リールとに対して、異なる近距離無線通信規格で通信するようにしてもよい。
【００３２】
（ｆ）図形情報を表示すると共に、さらに過去の魚種のデータから推測される最適な合わせのタイミングを音や光で報知するようにしてもよい。
【００３３】
＜特徴＞
上記実施形態は、下記のように表現可能である。
【００３４】
（Ａ）釣り竿振動表示装置２０（又は１２０）は、釣り竿８の振動を表示する装置である。釣り竿振動表示装置２０（又は１２０）は、第２無線通信部２６（又は１２６）と、図形情報生成部２２ａ（又は１２２ａ）と、表示器２８（又は１２８）とを備える。第２無線通信部２６（又は１２６）は、振動を検出する振動センサ１４からの振動信号を受信する。図形情報生成部２２ａ（又は１２２ａ）は、第２無線通信部２６（又は１２６）が振動信号を受信すると、受信した振動信号の振幅及び周波数を含む図形情報を生成する。表示器は、図形情報を表示する。
【００３５】
この釣り竿振動表示装置２０（又は１２０）では、振動を数値ではなく受信した振動信号の振幅及び周波数を含む図形情報で表示する。また、図形情報は、振動信号を受信する度に生成される。ここでは、振動信号の振幅及び周波数の時間変化を図形で表示するので、釣り竿８の振動の周波数及び振幅の時間変化を容易に把握できる。
【００３６】
（Ｂ）図形情報は、振動信号の波形であってもよい。この構成によれば、釣り竿８の振動の周波数及び振幅の時間変化を波形によってさらに容易に把握できるようになる。
【００３７】
（Ｃ）釣り竿振動表示装置２０（又は１２０）は、図形情報を記憶する記憶部３０（又は１３０）をさらに備えてもおい。この構成によれば、例えば、図形情報を魚種毎に記憶することによって、魚種によって異なる合わせのタイミングに対応できる。
【００３８】
（Ｄ）図形情報は、記憶部３０（又は１３０）に魚種毎に記憶されてもよい。この構成によれば、魚種毎に記憶された図形情報を読み出して、現在の図形情報と比較することによって、現在の魚種を判断でき、魚種に応じた合わせ動作を行いやすくなる。
【００３９】
（Ｅ）釣り具は、釣り竿８および釣り糸のいずれかであってもよい。この構成によれば、獲物がかかったときに最も敏感に振動する釣り竿８の振動を検出できる。
【符号の説明】
【００４０】
８    釣り竿
１４    振動センサ
２０、１２０    釣り竿振動表示装置
２２、１２２    第２制御部
２２ａ、１２２ａ    図形情報生成部
２６、１２６    第２無線通信部
２８、１２８    表示器
３０、１３０    記憶部
Ｌ    釣り糸
Ｗ    波形
【図１】
2017029051.tif 000003
【図２】
2017029051.tif 000004
【図３】
2017029051.tif 000005
【図４】
2017029051.tif 000006
【図５】
2017029051.tif 000007
【図６】
2017029051.tif 000008
【図７】
2017029051.tif 000009